(57)【特許請求の範囲】
【請求項１】
階下と階上間を昇降動することが出来るエレベータにおいて、外枠と中枠それに人が乗るゴンドラからなり、外枠は天井部に設けた穴に嵌めて固定され、中枠は外枠に嵌ると共に外枠に設けた駆動装置にて上下動し、ゴンドラは中枠に嵌ると共に中枠に設けた駆動装置によって上下動することが出来ることを特徴とする簡易式エレベータ。
【請求項２】
階下と階上間を昇降動することが出来るエレベータにおいて、外枠と中枠それに人が乗るゴンドラからなり、外枠は天井部に設けた穴に嵌めて固定され、外枠の両側には互いに同一速度で走行するトップローラーチェーンを上下方向に取付けし、外枠に嵌めた中枠の外側に取り付けたラックに噛み合わせてトップローラーチェーンの走行と共に昇降動し、そして中枠の両側にも互いに同一速度で走行するトップローラーチェーンを上下方向に取付けし、中枠に嵌めたゴンドラの外側に取り付けたラックに噛み合わせてトップローラーチェーンの走行と共に昇降動可能としたことを特徴とする簡易式エレベータ。
【請求項３】
上記中枠を四角形とし、ゴンドラに形成した出入り口部分を切欠いた請求項１又は請求項２記載の簡易式エレベータ。
【発明の詳細な説明】
【０００１】
【発明の属する技術分野】
本発明は一般住宅にも設置される簡易式エレベータに関するものである。
【０００２】
【従来の技術】
階上へ上がる場合、逆に階下へ降りる場合にエレベータを利用することが多く、デパート等のショッピングストアーは勿論のこと、オフィスビルにはこのエレベータが設置されている。しかし近年ではこのようなビルに限らず、一般住宅でもエレベータを設置するケースがあり、老人や車椅子に乗る身体障害者の上がり降りの便を図っている。
【０００３】
ところで、エレベータは所定の空間を持つ大きさのゴンドラをワイヤーにて吊り下げ、このワイヤーをドラムに巻き付けて昇降する構造となっている。又ゴンドラと重量バランスを取る為の重りを上記ワイヤーの反対側に吊り下げている。ドラムの回転に伴って、ゴンドラはガイドレールに沿って昇降動すると共に、バランス重りは同じく方向を反対にして昇降動することが出来る。
【０００４】
このように、従来のエレベータ構造は複雑であって、住宅に設置する場合であっても、乗車人数が少なくなって規模が小さいだけで、基本的な構造は同じようになっている。したがって一般住宅でこのようなエレベータを設置するにはかなりの費用がかかることになる。一方、エレベータを設置するにはゴンドラが昇降動する為の空間が必要であり、この空間は各階を貫通して仕切られた空間となっている為に、部屋空間がその分だけ狭められる。このようなことから、狭い住宅ではスペース的な問題もあって従来型のエレベータを設置することは出来ない。
【０００５】
【発明が解決しようとする課題】
このように、従来のエレベータを一般住宅に設置するには上記のごとき問題がある。本発明が解決しようとする課題はこの問題点であり、低コストで簡単に取付けすることが出来る簡易式エレベータを提供する。
【０００６】
【課題を解決する為の手段】
本発明の簡易式エレベータは従来のようにゴンドラをワイヤーにて吊設した構造ではなく、ラックとトップローラチェーンとの噛み合いにて昇降動する駆動装置を有している。ゴンドラの両側にはラックが上下方向に沿設され、ゴンドラより大きくて該ゴンドラが嵌る中枠にはトップローラチェーンが上下方向に取付けられ、中枠の上下端にはスプロケットが取着されてトップローラチェーンが巻き掛けられている。
【０００７】
そしてこのトップローラチェーンはその先端ローラが上記ゴンドラのラックに噛み合い、スプロケットの回転に伴ってトップローラチェーンが走行移動するならば、ゴンドラは昇降動することが出来る。そして、この中枠を固定することでゴンドラを階下と階上間を往復昇降動させ得るが、本発明では中枠の外側に外枠を配置し、該外枠を天井部に固定する構造となっている。この外枠にも同じようにトップローラーチェーンを取付けして中枠のラックに噛み合わせ、トップローラーチェーンの走行に伴って中枠が昇降動可能な構造となっている。
【０００８】
ところで、本発明の簡易式エレベータは天井部を挟んで階上と階下を昇降動するものであり、従来のエレベータのごとく全ての階を昇降動する機能はない。本発明は必ずしも一般住宅に限定することはないが、２階建て又は３階建ての建物を対象としており、３階建ての場合であればこのエレベータを２箇所に設置すればよい。そして、ゴンドラが降下した状態にある場合には、階上には何もなく部屋の空間が狭まることはない。逆に、ゴンドラが階上にあるときには、階下には何も存在しない。以下、本発明に係る実施例を図面に基づいて詳細に説明する。
【０００９】
【実施例】
図1(ａ)、(ｂ)は本発明の簡易式エレベータを示す実施例でありる。同図の1はゴンドラ、2は中枠、3は外枠を示し、(ａ)はゴンドラ１が降下した場合、(ｂ)はゴンドラ1が上昇している場合を示している。ゴンドラ1は正面と背面に出入り口4、４を有し、中は一人ないし二人が入ることの出来る空間を形成している。そして中枠2は上記ゴンドラ1が嵌り得る大きさの四角形の枠体であり、さらに外枠3は中枠2が嵌り得る大きさの四角形の枠体と成っている。
【００１０】
(ａ)はゴンドラ1が降下した状態にあって、ゴンドラ下端は階下の床面に接しているが、外枠3と中枠２及びゴンドラ１が竹の子状に下方へ伸びている状態である。(ｂ)はゴンドラ1が上昇した場合であるが、(ａ)の場合とは逆に外枠3、中枠2、及びゴンドラ１が竹の子状に上方へ延びた状態であり、この場合のゴンドラ下端は階上の床面に位置している。
【００１１】
このように、ゴンドラ1は階下と階上を往復昇降動することが出来、(ａ)に示す階下でゴンドラ1に乗り、ゴンドラ1が上昇して(ｂ)に示す階上で降りることが出来る。勿論、逆に階上で乗って、階下に下りることが出来る。
【００１２】
ところで、本発明のエレベータはゴンドラ1、中枠2、及び外枠3が竹の子状に伸縮する構造と成っている訳であり、ここで外枠3は天井部に固定されている。該簡易式エレベータは外部の駆動装置を利用してゴンドラを昇降動するものではなく、外枠３及び中枠２に駆動装置が備わっている為に、同図に示す状態で天井部に取付けすることで据付作業は完了する。
【００１３】
図2は外枠3に対して中枠２とゴンドラ１を上下方向に伸縮させる駆動装置を示す具体例であり、外枠3は天井部5に穴を明けて嵌めると共に固定されている。そして外枠3内部で対向側の上下端部にはスプロケット６ａ，６ｂが設けられ、このスプロケット６ａ，６ｂにはトップローラチェーン7が巻き掛けられている。図3は外枠3に中枠2とゴンドラ1が嵌っている場合の横断面であるが、スプロケット６ａ，６ｂは水平に配置された軸8の両サイド部に取着され、軸8はブレーキ付きモータ9にて回転駆動される。
【００１４】
したがって、対向する両側の各スプロケット６ａ，６ａの回転速度は等しく、スプロケット６ａ，６ｂ・・に巻き掛けられているトップローラーチェーン７，７の走行速度は等しくなる。上記トップローラーチェーン７，７は外枠３の両側に２本づつ、しかも上下方向に走行可能に取付けされている。そしてこのトップローラーチェーンは中枠２の外側に鉛直を成して配置しているラック１０，１０・・に噛み合っている。
【００１５】
ラック１０は中枠２の上端から下端にかけて延び、上記トップローラーチェーン７が走行するならば、中枠２は昇降動することが出来る。又中枠２には外枠３と同じようにその上下端に水平軸１１ａ，１１ｂを設け、軸１１ａ，１１ｂの両サイドにはスプロケット１２ａ，１２ａ，１２ｂ，１２ｂを取着している。そして上下スプロケット１２ａ，１２ｂには同じくトップローラーチェーン１３，１３が巻き掛けられている。
【００１６】
中枠２に鉛直方向を成して配置しているトップローラーチェーン１３は、ゴンドラ１の外側に鉛直に取付けたラック１４に噛み合っている。したがって、ブレーキ付きモータ１５にて軸１１を回転駆動すると共に、スプロケット１２ａ，１２ｂに巻き掛けられているトップローラーチェーン１３が走行するならば、ゴンドラ１は該トップローラーチェーン１３の走行に伴って昇降動することが出来る。ところで前記図２において、(ｂ)はゴンドラ１が降下している場合であるが、ゴンドラ１が(ａ)に示すように上昇するならば、天井部５の床材１６を持ち上げることになる。逆に、ゴンドラ１が降下した際には、上記床材１６は天井部５の所定の位置に残して来る。したがって天井部５の床に穴が残ることはない。
【００１７】
図４は前記図２のA部拡大図であり、外枠３のトップローラーチェーン７が中枠２の上下方向に沿設したラック１０に噛み合って該中枠２を支持し、同時にトップローラーチェーン７の走行に伴って中枠２は昇降動することが出来る。トップローラーチェーン７とは概略T型リンクを用いて構成したローラーチェーンであり、スプロケットが回転することで走行し、このT型リンク端にローラを軸支している。このローラがラック１０と噛み合うことで、トップローラーチェーン７の走行に伴ってラック１０及び中枠２が昇降動することが出来る。
【００１８】
外枠３のトップローラーチェーン７と中枠２のトップローラーチェーン１３はそれぞれ独立して走行することが出来るように、軸８,１１にはそれぞれブレーキ付きモータ９,１５が取付けされている。したがって、中枠２を伸長した後でゴンドラ１を延ばしてもよく、又は中枠２とゴンドラ１を同時に移動させることも可能である。そして、モータにはブレーキ機能が備わっているために、どの位置でも停止することが出来、勿論、降下した際の下死点、及び上昇した際の上死点では、センサーにてその位置を検出して停止する。
【００１９】
中枠２はゴンドラ１を抱え込むと共に、前記図１(ｂ)に示すようにゴンドラ１が上方へ移動して階上に位置する場合、出入り口４の個所は切り欠かれて出入りに支障がないようになっている。一方、図３において外枠３及び中枠２にはその両側にトップローラーチェーン７，７・・１３，１３・・が配置されている。そして一方側にはブレーキ付きモータ９,１５が取付けされて駆動されるが、反対側の軸８,１１はタイミングベルトを介して連動されている。
【００２０】
以上述べたように、本発明の簡易式エレベータは天井部に固定される外枠と中枠それにゴンドラからなり、外枠を基にして上下方向に竹の子状に伸縮することでゴンドラが階下と階上間を往復昇降動するものであり、次のような効果を得る事が出来る。
【００２１】
【発明の効果】
本発明の簡易式エレベータは外枠及び中枠それにゴンドラから構成され、外枠と中枠にそれぞれ駆動モータを備えている為に、天井部に設けた穴に外枠を嵌めて取着することでよく、取付け作業はいたって簡単である。したがって完成されている建物であっても後で据付ることが可能であり、従来のエレベータのように、建物の設計段階で考慮しなくてはならない構造とは違い、一般住宅であっても手軽に取付け出来る。勿論、エレベータ本体だけでなく据付費用も非常に安くなる。
【図面の簡単な説明】
【図１】本発明の簡易式エレベータの外観図。
【図２】エレベータの駆動装置を示す縦断面図。
【図３】エレベータの駆動装置を示す横断面図。
【図４】図２(ｂ)のA部拡大図。
【符号の説明】
１  ゴンドラ
２  中枠
３  外枠
４  出入り口
５  天井部
６  スプロケット
７  トップローラーチェーン
８  軸
９  ブレーキ付きモータ
10  ラック
11  軸
12  スプロケット
13  トップローラーチェーン
14  ラック
15  ブレーキ付きモータ
16  床材
【図１】
0004308966.tif 000002
【図２】
0004308966.tif 000003
【図３】
0004308966.tif 000004
【図４】
0004308966.tif 000005